(57)【要約】【課題】ポータブル機器を支持するネックストラップに大きな力が作用した時にユーザーの首を傷つけないネックストラップの提供。【解決手段】ポータブル機器のネックストラップで、とくに瞬間切離しユニットのついたネックストラップ。瞬間切離しユニットは首とポータブル機器との間に繋がれている。外力が安全範囲を超えると、瞬間切離しユニットがネックストラップから瞬時に切離されてユーザーを守る。瞬間切離しユニットはユーザーの首と接触せず、ユーザーはネックストラップを着けていることでの不快感を感じない。さらに、瞬間切離しユニットの設計において人間工学面での検討を必要とせず、形状制限を受けず、設計の自由度が非常に高まる。【選択図】　図２
2004113769.tif 000002
【特許請求の範囲】
【請求項１】
ポータブル機器を運びユーザーの首に巻き付けるネックストラップにおいて、
ユーザーがネックストラップを着ける時、首の回りに巻き付く首接触部分、および、ユーザーの首と接触しない首非接触部分と、
首非接触部分に組み付けられ、ネックストラップに働く外力が安全範囲を超えるとネックストラップが首から外れる瞬間切離しユニットを備えていることを特徴とするネックストラップ。
【請求項２】
ユーザーの音声をポータブル機器に伝達するために、ポータブル機器に電気的に接続したマイクを備えていることを特徴とする請求項１に記載のネックストラップ。
【請求項３】
ポータブル機器にマイクを接続する電線を備えていることを特徴とする請求項２に記載のネックストラップ。
【請求項４】
電線がネックストラップの一部に埋め込まれポータブル機器と接続していることを特徴とする請求項３に記載のネックストラップ。
【請求項５】
瞬間切離しユニットを電線の埋め込み位置とユーザーの首との間の首非接触部分に配置していることを特徴とする請求項４に記載のネックストラップ。
【請求項６】
ポータブル機器のオーディオ信号を伝達するために、ポータブル機器に電気的に接続するイヤホーンを備えていることを特徴とする請求項１に記載のネックストラップ。
【請求項７】
イヤホーンをポータブル機器に接続する電線を備えていることを特徴とする請求項６に記載のネックストラップ。
【請求項８】
電線をネックストラップの部分に埋め込みポータブル機器と接続していることを特徴とする請求項７に記載のネックストラップ。
【請求項９】
瞬間切離しユニットを電線埋め込み位置とユーザーの首との間の首非接触部分に配置したことを特徴とする請求項８に記載のネックストラップ。
【請求項１０】
ポータブル機器の音声信号をユーザーが聴けるように伝達するポータブル機器と電気的に接続する一つのイヤホーンを備えていることを特徴とする請求項１に記載のネックストラップ。
【請求項１１】
ポータブル機器の音声信号をユーザーが聴けるように伝達するポータブル機器と電気的に接続する１対のイヤホーンを備えていることを特徴とする請求項１に記載のネックストラップ。
【請求項１２】
イヤホーンをポータブル機器に接続する電線を備えていることを特徴とする請求項１１に記載のネックストラップ。
【請求項１３】
電線がネックストラップの部分に埋め込まれポータブル機器と接続していることを特徴とする請求項１２に記載のネックストラップ。
【請求項１４】
瞬間切離しユニットを、電線埋め込み部とユーザーの首との間の首非接触部分に配置していることを特徴とする請求項１３に記載のネックストラップ。
【請求項１５】
ポータブル機器に携帯電話を含んでいることを特徴とする請求項１に記載のネックストラップ。
【請求項１６】
ポータブル機器に携帯情報端末を含んでいることを特徴とする請求項１に記載のネックストラップ。
【請求項１７】
ポータブル機器にＭＰ３プレーヤを含んでいることを特徴とする請求項１に記載のネックストラップ。
【請求項１８】
ポータブル機器にＡＭ／ＦＭラジオを含んでいることを特徴とする請求項１に記載のネックストラップ。
【請求項１９】
ポータブル機器にＣＤプレーヤを含んでいることを特徴とする請求項１に記載のネックストラップ。
【請求項２０】
ポータブル機器にミニディスクプレーヤを含んでいることを特徴とする請求項１に記載のネックストラップ。
【請求項２１】
ポータブル機器にデジタルオーディオ放送プレーヤを含んでいることを特徴とする請求項１に記載のネックストラップ。
【請求項２２】
ポータブル機器を運びユーザーの首に巻き付けられ、ユーザーがネックストラップを着ける時、首の回りに巻き付く首接触部分と、ユーザーの首と接触しない首非接触部分を備えているネックストラップにおいて、
首非接触部分に組み付けられ、ネックストラップに働く外力が安全範囲を超えると、ネックストラップが首から外れるようにした瞬間切離しユニットを含んでいることを特徴とするネックストラップ。
【請求項２３】
ユーザーの音声をポータブル機器に伝達ための、ポータブル機器に電気的に接続したマイクを備えていることを特徴とする請求項２２に記載のネックストラップ。
【請求項２４】
マイクをポータブル機器に接続する電線を備えていることを特徴とする請求項２３に記載のネックストラップ。
【請求項２５】
電線がネックストラップの部分に埋め込まれポータブル機器と接続していることを特徴とする請求項２４に記載のネックストラップ。
【請求項２６】
瞬間切離しユニットが電線埋め込み位置とユーザーの首との間の首非接触部分に配置されていることを特徴とする請求項２５に記載のネックストラップ。
【請求項２７】
ポータブル機器のオーディオ信号を伝達する、ポータブル機器に電気的に接続するイヤホーンを備えていることを特徴とする請求項２２に記載のネックストラップ。
【請求項２８】
イヤホーンをポータブル機器に接続する電線を備えていることを特徴とする請求項２７に記載のネックストラップ。
【請求項２９】
電線がネックストラップの部分に埋め込まれ、ポータブル機器と接続していることを特徴とする請求項２８に記載のネックストラップ。
【請求項３０】
瞬間切離しユニットを、電線を埋め込んでいる部位とユーザーの首との間の首非接触部分に配置していることを特徴とする請求項２９に記載のネックストラップ。
【請求項３１】
ポータブル機器の音声信号をユーザーが聴けるように伝達するためポータブル機器と電気的に接続するイヤホーンを備えていることを特徴とする請求項２２に記載のネックストラップ。
【請求項３２】
イヤホーンをポータブル機器に接続する電線を備えていることを特徴とする請求項３１に記載のネックストラップ。
【請求項３３】
電線がネックストラップの部分に埋め込まれ、ポータブル機器に接続されていることを特徴とする請求項３２に記載のネックストラップ。
【請求項３４】
瞬間切離しユニットを、電線を埋め込んでいる位置とユーザーの首との間の首非接触部分に配置していることを特徴とする請求項３３に記載のネックストラップ。
【０００１】
【発明の詳細な説明】
（関連出願の相互参照）
この出願は、２００２年９月２５日に出願の台湾出願番号９１２１５１５９の優先権を求める。
【０００１】
【発明が属する技術分野】
【０００２】本発明は一般的に言えば、ポータブル機器のネックストラップ（首ひも）、さらに言えば、安全範囲を超える外力が働いた時に、ユーザーの首に影響を与えずに守るため、瞬時に切離されるポータブル機器用のネックストラップに関するものである。
【従来の技術とその課題】
【０００３】携帯電話のような一般的なポータブルエレクトロニクス機器の使用の便利さと携帯性を持たせるために、ユーザーが携帯電話のようなものを運べるようにネックストラップが頻繁に使われている。携帯電話はネックストラップにぶら下げられ、ネックストラップがユーザーの首に巻き付けられるのが代表的である。
【０００４】機械や工場設備がたくさんある所を歩くような特別な条件において、ネックストラップを首に巻き付けていると、ネックストラップが簡単に機械に絡み付く。ネックストラップの伸びが不適切であると、ユーザーを傷つける可能性があり、ユーザーの生命を危険に曝すことさえある。
【課題を解決するための手段】
【０００５】本発明は、ポータブル機器のネックストラップ、殊に瞬間切離しユニットを備えたネックストラップを提供することにある。瞬間切離しユニットは首とポータブル機器との間に繋がれる。ネックストラップに働く外力が安全範囲を超えると、瞬間切離しユニットは瞬時に切離されてユーザーを守る。瞬間切離しユニットはユーザーの首に影響を与えない。
【０００６】首とポータブル機器との間に繋がれた瞬間切離しユニットは、人間工学の検討も必要とせず形状制限も受けずに設計される。さらに、瞬間切離しユニットに働く外力の方向は直線的であり、引っ張り力角度の問題は存在しない。結果として、引っ張り力の実際の安全範囲は、設計時の引っ張り力仕様と同一である。
【０００７】本発明によるポータブル機器用ネックストラップは、ポータブル機器をぶら下げるための首に接触しない瞬間切離しユニットを含んでおり、ネックストラップを着けるユーザーは瞬間切離しユニットの接触による不快さを感じないようになっている。
【０００８】ポータブル機器用ネックストラップのデザインは融通が利く。外形はクライアントの仕様要求に基づいて設計することができる。例えば、メーカーの商標、クライアントのロゴ、ポピュラーな漫画のキャラクター、あるいはユニークな形状をした瞬間切離しユニットを備えたネックストラップは競争力が強い。
【０００９】本発明が提供するネックストラップは、ユーザーの首に接触しない瞬間切離しユニットを含んでおり、安全範囲を超える外力により瞬間切離しユニットが切離されるか破損して、ユーザーの首を傷つけない。
【００１０】本発明で、ポータブル機器を運びユーザーの首に巻き付けられるネックストラップが提供されている。ネックストラップには首接触部分と首非接触部分がある。瞬間切離しユニットは首非接触部分に配置される。ネックストラップに働く外力が安全範囲を超えると、瞬間切離しユニットが切離されて、ユーザーの首からネックストラップを取り外す。
【００１１】実施例の一つにおいて、上述のネックストラップは更に、マイク１つ、イヤホーン１つ、１対のイヤホーン、マイク１つとイヤホーン１つ、あるいはマイク１つと１対のイヤホーンを備えている。マイクとイヤホーンは、携帯電話のような通信システム、ＭＰ３プレーヤ、ＡＭ／ＦＭラジオ、携帯情報端末（ＰＤＡ）、ＣＤプレーヤ、ＭＤ（ミニディスク）プレーヤあるいはデジタルオーディオ放送（ＤＡＢ）プレーヤのような音響システムに使われる。マイクとイヤホーンはポータブル機器と電気的に接続され、ポータブル機器がオーディオ信号や音声信号を伝達できるようにし、ユーザーがオーディオ信号や音声信号を聴くことができる。マイクはユーザーの音声をポータブル機器に伝達するために使われる。
【００１２】上記のネックストラップには、マイクとイヤホーンまたは１対のイヤホーンをポータブル機器に接続する電線が含まれている。本発明による実施例の一つでは、ポータブル機器と接続するネックストラップの部分に電線が埋め込まれている。瞬間切離しユニットは、ネックストラップ内で電線の埋め込まれている位置とユーザーの首との間であって、首と接触しない部分に配置されていることが好ましい。
【発明の実施の形態】
【００１３】本発明は、ポータブルのエレクトロニクス機器用のネックストラップ、特に瞬間切離しユニットを備えたネックストラップを提供する。瞬間切離しユニットは首とポータブル機器との間に配置している。ネックストラップを伸ばす外力が安全範囲を超えると、瞬間切離しユニットが瞬時にネックストラップから切離され、ユーザーの首に影響を与えずにユーザーを守る。
【００１４】図１は、本発明の一実施例のネックストラップ構造を示す。ネックストラップ１２０は、携帯電話、携帯情報端末、ＭＰ３プレーヤ、ＡＭ／ＦＭラジオ、ＣＤプレーヤ、ＭＤプレーヤあるいはデジタルオーディオ放送プレーヤのようなポータブル機器１１０を運ぶために使われる。ネックストラップ１２０は、首接触部分である第一の部分Ａと首非接触部分である第二の部分Ｂを有する。ユーザーがネックストラップ１２０を着けている間、首接触部分Ａがユーザーの首と接触する。一方、首非接触部分Ｂはユーザーの首と接触しない。首非接触部分Ｂは接続ターミナル１１２を通じてポータブル機器１１０と接続している。
【００１５】この実施例において、瞬間切離しユニット１５０は首非接触部分Ｂに組み付けられている。瞬間切離しユニット１５０は、首とポータブルエレクトロニクス機器（首非接触部分）との間を接続している部分に配置している。ネックストラップ１２０を伸ばすために働く外力が安全範囲を超えると、瞬間切離しユニット１５０は瞬時にネックストラップ１２０から外れてユーザーを守る。瞬間切離しユニット１５０はユーザーの首に影響を与えない。安全範囲は所定の設計仕様に合わせて調整することができる。瞬間切離しユニット１５０は、例えば留め金を備えている。安全範囲内では、瞬間切離しユニット１５０はネックストラップ１２０から外れない。ユーザーがネックストラップ１２０を着けていると、瞬間切離しユニット１５０により過度の外力で傷つくことからユーザーの首を守ることができる。
【００１６】瞬間切離しユニットを首接触部分Ａ、殊に首の後ろの中央近くに配置する場合、瞬間切離しユニットが見えないように隠すことができても、以下に述べるように多くの問題を引き起こす可能性がある。
【００１７】最も重要な項目は安全性の考慮である。ネックストラップはポータブル機器の重量を支えるので、首の後ろの中央にある時にユーザーの首と密着する。密着することにより、瞬間切離しユニットには人間工学に従ってアーク形状またはフラットな形状に設計することが求められる。幾何学的に制限を受けることで、伸びる力に関して実際の安全範囲と製造時に評価した安全範囲との間に違いを生じる。さらに、ユーザーの首と接触する角度が変わることにより瞬時に切離される際の力の違いを招き、安全に対する仕様が実際の使用と相違することになる。メーカーはそのような相違が原因となる事故に責任がある一方、ユーザーは危険に曝される。加えて、首の後ろにある瞬間切離しユニットは、簡単にユーザーの髪に絡まる。これが不便さを招き、ユーザーを傷つける可能性がある。
【００１８】第二の項目はユーザーの健康である。瞬間切離しユニットは安全範囲以内では切離されることなく引っ張り力に抵抗するので、瞬間切離しユニットをつくる材料は頑丈なことが必要である。それ故に、瞬間切離しユニットとユーザーの首の接触、殊にユーザーがネックストラップを着けて歩き回る時、ユーザーの肌を刺激する。更に深刻なことは、接触摩擦が首の後の肌を傷つけ、アレルギーや肌の感染症を引き起こす。さらに、接触摩擦が肌に擦り傷をつくり、容易に日焼けの原因となる。
【００１９】デザイン面での検討をすると、首部の肌と密着する瞬間切離しユニットは、人間工学に基づいて設計せねばならない。瞬間切離しユニットの外形は、ユーザーの不快さを避けるために、円弧形状に限定される。このように、瞬間切離しユニットの外形はユニークなデザインではないものに非常に制限される。
【００２０】破損問題を考えると、瞬間切離しユニットは切離されることなく規定の引っ張り力に耐えられる。それ故に、瞬間切離しユニットを形成する材料は、充分に堅く頑丈でなければならない。外力が安全範囲を超えると、首の後に密着した瞬間切離しユニットが切離されるか、時には破損する。それによりユーザーの首は瞬間切離しユニットの破損により簡単に傷つく。
【００２１】対照的に、瞬間切離しユニットをネックストラップの首非接触部分Ｂに配置すると、次のようなメリットがある。
【００２２】安全性に関して、瞬間切離しユニット１５０は首とポータブル機器１１０との間に配置されるので、瞬間切離しユニット１５０のデザインは人間工学や形状に制限されない。さらに、瞬間切離しユニット１５０に働く力は直線的であるので、問題となる引っ張り力角度が起きない。それ故に、引っ張り力の実際の安全範囲は、設計時の安全範囲と同一である。それによりメーカーが表示している安全基準に適合する。メーカーは矛盾した性能の責任から解放され、ユーザーの生命はネックストラップを使うことで危険に曝されることはない。加えて、ユーザーのいずれの側に位置させても、瞬間切離しユニット１５０がユーザーの髪に絡まらない。
【００２３】健康の観点では、瞬間切離しユニット１５０は首と密着しない。それ故に、ユーザーがネックストラップを着けて歩き回らねばならない時でも、瞬間切離しユニット１５０を着けていることによる不快さは発生しない。
【００２４】デザインを考慮するにあたり、瞬間切離しユニット１５０を首とポータブル機器１１０との間に配置することでデザインの自由度が非常に高まる。瞬間切離しユニット１５０の内部構造を設計する一方で、ネックストラップ１２０の外側形状を考慮することができる。加えて、瞬間切離しユニット１５０の位置が容易に他人の注意を惹く。それ故に、瞬間切離しユニット１５０はクライアントの求める形状にデザインすることができる。競争力を高めるために、例えば、瞬間切離しユニット１５０は、メーカーの商標、会社のロゴ、漫画のキャラクター、あるいは別のユニークな形状のような特別な形態でつくることができる。
【００２５】破損について、瞬間切離しユニット１５０は切離されることなく、規定の引っ張り力に耐えることができる。それ故に、瞬間切離しユニットを形成する材料は、充分に堅く頑丈でなければならない。瞬間切離しユニット１５０がユーザーの首に接しないので、破損によってユーザーの首を傷つけることはない。
【００２６】図１において、ネックストラップ１２０が運ぶポータブル機器１１０の必要性に応じて、アクセサリーが追加されることがある。例えば、上記のネックストラップ１２０は更に、１つのマイク、１つのイヤホーン、１対のイヤホーン、マイクに加えて１つのイヤホーン、またはマイクに加えて１対のイヤホーンで構成することもある。アクセサリーには携帯電話のような通信システムのマイクやイヤホーンも含んでいる。代わりに、アクセサリーは、ＭＰ３プレーヤー、ＡＭ／ＦＭラジオ、ＰＤＡ、ＣＤプレーヤー、ＭＤプレーヤー、ＤＡＢプレーヤーのようなオーディオシステムのマイクやイヤホーンも含むこともある。上記のマイクとイヤホーンは電気的にポータブル機器１１０と接続しており、ポータブル機器１１０がオーディオや音声信号を伝達し、ユーザーがオーディオ信号を聞きあるいは音声信号を楽しむようになっている。マイクはユーザーの音声をポータブル機器１１０に伝達するために使われる。
【００２７】本発明の実施例の一つにおいて、図１に示すネックストラップ１２０にあるポータブル機器１１０が携帯電話であると、マイク１３０とイヤホーン１４０が含まれることがある。電線１３４がネックストラップ１２０の部位１３２から伸びている。電線１３４の長さは使用要求に基づいて設計される。ネックストラップ１２０の部位１３２とポータブル機器１１０との間の電線１３４はネックストラップ１２０に埋め込まれており、部位１３２は接続ターミナル１１２の方に伸びてポータブル機器１１０と接続している。ポータブル機器１１０がＭＰ３プレーヤーやＡＭ／ＦＭラジオのようなポータブルのオーディオ機器であるなら、別のイヤホーン１４２が加えられる。実施例はまた、現在ある携帯電話とオーディオ機器を合体したデジタル機器にも適している。
【００２８】マイク１３０とイヤホーン１４０の電線１３４を検討するときに、ネックストラップ１２０の瞬間切離しユニット１５０を、部位１３２から首に至る首非接触部分Ｂに配置することができる。電気的な接続を考慮しないなら、瞬間切離しユニット１５０は首非接触部分Ｂのいずれの位置にも配置することができる。
【００２９】図２に関して、ネックストラップ２２０を着けているユーザー２００を示している。ネックストラップ２００は、携帯電話、ＰＤＡ、ＭＰ３プレーヤー、ＡＭ／ＦＭラジオのようなポータブル機器２１０を運ぶのに使うことができる。ネックストラップ２２０には第一の部分２２４、即ち首接触部分と、第二の部分２２２、即ち首非接触部分がある。首接触部分２２４はユーザー２００の首の回りに巻き付いており、首非接触部分２２２はユーザー２００と接触しない。首非接触部分２２２は接続ターミナルを通じてポータブル機器２１０と接続している。
【００３０】図２で示すネックストラップ２００により運ばれるポータブル機器２１０が携帯電話であるなら、ネックストラップ２２０は更にマイク２４０とイヤホーン２５０で構成する。電線２３０がネックストラップ２２０の一部に埋め込まれており、ポータブル機器２１０と接続している。ポータブル機器２１０が、ＭＰ３プレーヤーやＡＭ／ＦＭラジオのようなポータブルのオーディオ機器であるなら、別のイヤホーン２５５が追加される。実施例は、携帯電話やオーディオ機器を合体したポータブルのデジタル機器に適している。
【００３１】
ネックストラップ２２０には首非接触部分２２２に瞬間切離しユニット２６５がある。瞬間切離しユニット２６５の実際の位置は仕様要求により決まる。瞬間切離しユニット２６５は、首とポータブルエレクトロニクス機器との間の接続部分（首非接触部分２２２）にある。ネックストラップ２２０を伸ばすために安全範囲を超える外力が働くと、瞬間切離しユニット２６５が瞬時に切離され、ユーザーの安全を守る。瞬間切離しユニット２６５はユーザーの首に影響を与えない。安全範囲の設計は設計仕様により調整できる。瞬間切離しユニット２６５には留め金があり、安全範囲内では引っ張り力により外れない。ユーザーがネックストラップ２２０を着けていると、瞬間切離しユニット２６５はユーザーの首が外力で傷つけられることから守る。
【００３２】ここで公開された本発明の仕様と実際を考慮することにより、技術のある者には本発明の別の実施例を思いつくであろう。意図するところは、仕様や事例は例示としてのみ考えられるべきものであり、本発明の真意と真の適用範囲は、請求範囲に示される。
【図面の簡単な説明】
【図１】本発明の実施例の一つによるネックストラップの正面図。
【図２】図１に示しているネックストラップを着けたユーザーの斜視図。
【符号の説明】
１１０　　　　　　　　　　ポータブル機器
１１２　　　　　　　　　　接続ターミナル
１２０　　　　　　　　　　ネックストラップ
１３０　　　　　　　　　　マイク
１３２　　　　　　　　　　部位
１３４　　　　　　　　　　電線
１４０　　　　　　　　　　イヤホーン
１４２　　　　　　　　　　イヤホーン
１５０　　　　　　　　　　瞬間切離しユニット
２００　　　　　　　　　　ネックストラップ
２００　　　　　　　　　　ユーザー
２１０　　　　　　　　　　ポータブル機器
２２０　　　　　　　　　　ネックストラップ
２２２　　　　　　　　　　部分
２２２　　　　　　　　　　首非接触部分
２２４　　　　　　　　　　部分
２２４　　　　　　　　　　首接触部分
２３０　　　　　　　　　　電線
２４０　　　　　　　　　　マイク
２５０　　　　　　　　　　イヤホーン
２５５　　　　　　　　　　イヤホーン
２６５　　　　　　　　　　瞬間切離しユニット
Ａ　　　　　　　　　　　　　　首接触部分
Ｂ　　　　　　　　　　　　　　首非接触部分
【図１】
2004113769.tif 000003
【図２】
2004113769.tif 000004